(57)【特許請求の範囲】
【請求項１】
多機種の製品に共通する機能部を搭載した第１プレートと、
他の機能部を搭載し、前記第１プレートに接続された第２プレートと、
前記共通する機能部の一部材として、前記第１プレートに、一端の開口を前記第２プレート接続側へ向けて設けられた第１ダクトと、
を備えた便器上面設備であって、
前記第２プレートには、前記第１ダクトへ接続される第２ダクトが予め設けられており、
前記第１プレートと前記第２プレートとの接続により、前記第２ダクトが前記第１ダクトに接続されるよう構成されてなること、
を特徴とする便器上面設備。
【請求項２】
前記第２プレートは、前記第２プレートに前記第２ダクトを取り付ける際に、前記第２ダクトの姿勢を規制して前記第１ダクトへ接続される姿勢を維持する姿勢規制部材を有する、
請求項１に記載の便器上面設備。
【請求項３】
前記第２ダクトは、前記第２プレートに回転自在に取り付けられている、
請求項１又は請求項２に記載の便器上面設備。
【請求項４】
前記第２ダクトは、前記第１ダクトへ嵌合される嵌合部を有し、
前記嵌合部には、前記第１ダクトの先端に接触する傾斜部を備える、
請求項３に記載の便器上面設備。
【発明の詳細な説明】
【技術分野】
【０００１】
本発明は、便器上面に設けられる便器上面設備に係り、特に脱臭ダクトを備えた便器上面設備に関する発明である。 
【背景技術】
【０００２】
従来、多機種の製品に共通する機能部（局部洗浄機能部、脱臭機能部、熱交換機能部など）が集約されたユニットに、機種に応じて個別に必要な機能部を搭載した別ユニットを組み合わせることで、柔軟かつ効率的な生産体制の実現が図られてきた。具体的な構成としては、図１のように、多機種の製品に共通する複数の機能部１が搭載された共通機能部載置プレート３に、個別に必要な機能部５が載置された他のプレート７（以下、拡張用載置プレートという）を接続した構成のものが知られている。
【発明の概要】
【発明が解決しようとする課題】
【０００３】
このような便器上面設備において、脱臭機能部の脱臭ダクトが、排気口を拡張用載置プレート７側へ向けて共通機能部載置プレート３に搭載されている場合、排気口から排出される清浄化された空気が設備内に排出されないよう、何らかの対策を講じる必要があるが、従来、この対策については何も考えられていなかった。
【０００４】
この対策の一つとして、脱臭ダクトを延長させる部材（以下、延長ダクトという）を脱臭ダクトへ接続して、排気口を設備外近傍まで延長させる方法が考えられる。そして、この延長ダクトの取り付け方法としては、拡張用載置プレートを共通機能部載置プレートへ接続した後、延長ダクトを脱臭ダクトおよび拡張用載置プレート７に取り付ける方法や、延長ダクトを脱臭ダクトに接続した後に、拡張用載置プレート７を共通機能部載置プレート３および延長ダクトに取り付ける方法が考えられる。
【０００５】
しかし、上記のように、部材を一つ一つ取り付けていく方法では、先に取り付けた部材の一部が次に取り付ける部材と干渉するなど、取り付けが困難なものとなってしまい、それらの取り付けに多くの時間がかかってしまう。したがって、こうした方法は、組立作業に容易さと迅速さが求められる組立現場等に適したものとは言えない。
【０００６】
本発明は、上記問題点を解決するためになされたものであり、所定のプレートに設けられたダクトの開口が、そのプレートに接続される他のプレート側へ向けて設けられている場合であっても、容易かつ迅速に他のダクトを上記ダクトに接続させることができる便器上面設備を提供することを目的としている。
【課題を解決するための手段】
【０００７】
本発明に係る便器上面設備は、多機種の製品に共通する機能部を搭載した第１プレートと、他の機能部を搭載し、第１プレートに接続された第２プレートと、共通する機能部の一部材として、第１プレートに、一端の開口を第２プレート接続側へ向けて設けられた第１ダクトと、を備えた便器上面設備であって、第２プレートには、第１ダクトへ接続される第２ダクトが予め設けられており、第１プレートと第２プレートとの接続により、第２ダクトが第１ダクトに接続されるよう構成されてなることを特徴とする。
【０００８】
このように構成された本発明においては、第１プレートに第１ダクトが一端の開口を第２プレート接続側へ向けて設けられている場合であっても、第１プレートと第２プレートとの接続に伴い、第１ダクトと第２ダクトとの接続も共に行われるため、困難な取り付け作業を要することなく、容易かつ迅速に第１ダクトと第２ダクトとの接続を行うことができる。上記第１ダクトとしては、脱臭ダクトはもちろんのこと、冷暖房装置用のダクトや乾燥装置用のダクトであっても、当然、第２ダクトとの接続を容易に行うことが可能である。
【発明の効果】
【０００９】
本発明の便器上面設備によれば、第１プレートに第１ダクトが一端の開口を第２プレート接続側へ向けて設けられている場合であっても、第１プレートと第２プレートとの接続に伴い、第１ダクトと第２ダクトとの接続も共に行われるため、困難な取り付け作業を要することなく、容易かつ迅速に第１ダクトと第２ダクトとの接続を行うことができる。
【図面の簡単な説明】
【００１０】
【図１】従来の便器上面設備の斜視図。
【図２】本発明の第１実施形態に係る便器上面設備の取付状態を表す全体斜視図
【図３】本発明の第１実施形態に係る便器上面設備単体の平面図。
【図４】本発明の第１実施形態に係る延長ダクトの斜視図。
【図５】図４におけるＸ-Ｘ断面図。
【図６】本発明の第１実施形態に係る第２プレートの斜視図。
【図７】本発明の第１実施形態に係る筒状部材の立体断面図。
【図８】本発明の第１実施形態に係る延長ダクト取付後の第２プレートの平面図。
【図９】図８におけるＹ-Ｙ断面図。
【図１０】本発明の第１実施形態に係る便器上面設備の接続時の様子を表す斜視図。
【図１１】本発明の第１実施形態に係る脱臭ダクトと延長ダクト嵌合状態を表す縦断面図。
【図１２】本発明の第１実施形態に係る延長ダクト嵌合動作を表す平面視断面図。
【図１３】本発明の第２実施形態に係る便器上面設備の接続時の様子を表す斜視図。
【図１４】本発明の第２実施形態に係る便器上面設備のダクト接続部における断面図。
【発明を実施するための形態】
【００１１】
以下、図面を参照して本発明の実施の形態について説明する。
【００１２】
図２および図３はそれぞれ、本発明の第１実施形態に係る便器上面設備９を後方上面に取り付けた便器１１の全体斜視図と、便器上面設備単体の平面図である。本実施形態に係る便器上面設備９は、便器１１の後方上面に取り付けられ、脱臭ファン１３およびこの脱臭ファン１３に連結された脱臭ダクト１５が搭載された第１プレート１７と、第１プレート１７の後方に接続された第２プレート１９と、脱臭ダクト１５を便器後方側へ延長させるために第２プレート１９に取り付けられた延長ダクト２１と、これらを覆う図示しないカバーを備えている。また、第１プレート１７には、局部洗浄装置を搭載する局部洗浄装置載置部２２、熱交換器を搭載する熱交換器載置部２３、各機能部の動作を制御する制御装置が搭載される制御装置載置部２４等が設けられており、第２プレート１９には、便器洗浄装置を搭載する便器洗浄装置載置部２０が設けられている。なお、上記脱臭ファン１３が吸い込んだ臭気は、脱臭ダクト１５内部で清浄化され、延長ダクト２１内部を通過し、最終的に便器側方を指向する延長ダクト２１の排気口２５より排出されるよう構成されている。
【００１３】
図４(a)および(b)はそれぞれ上面側及び下面側から見た延長ダクト２１の斜視図であり、図５は、図４におけるＸ-Ｘ断面図である。まずはこれらの図を参照して、延長ダクト２１の構成について説明する。
【００１４】
２７は屈曲形状をなす延長ダクト２１の通風部、２９は通風部２７先端に一体的に形成され、脱臭ダクト１５の先端周囲を覆うようにして脱臭ダクト１５へ嵌合される嵌合部であり、この嵌合部２９の開口断面積は、通風部２７の嵌合部２９側先端の開口断面積よりもやや大きく形成されている。そして、図５に示すように、この嵌合部２９の端面は、延長ダクト２１内部を指向して傾斜した傾斜部３１を有している。また、３３は延長ダクト２１を第２プレート１９に取り付ける際に挿入される挿入部であり、この挿入部３３は、延長ダクト２１裏面の排気口２５近傍から突出するシャフト３５およびそのシャフト３５先端に一体的に形成されたほぼ球状の球体３７からなっている。
【００１５】
次に、第２プレート１９の構成について説明する。図６は延長ダクト２１が取り付けられていない第２プレート１９の斜視図である。３９は延長ダクト２１を取り付ける際に延長ダクト２１の姿勢を規制する姿勢規制部材、４１は取り付けられた延長ダクト２１の回転量を規制する回転量規制部材、４３は第１プレート１７との接続時に、第１プレート１７へ挿入される舌片状の凸部、４５は延長ダクト２１の挿入部３３が挿入される筒状部材であり、この筒状部材４５の所定の高さの内周面には、図７に示すように、環状の円弧溝４７が設けられている。
【００１６】
次に延長ダクト２１の第２プレート１９への取り付け方法について説明する。図８は延長ダクト２１が取り付けられた第２プレート１９の平面図であり、図９は延長ダクトの第２プレートへの取付部の様子を表す、図８のＹ-Ｙ断面における一部の断面図である。延長ダクト２１は、姿勢規制部材３９によりその姿勢が規制された状態で、挿入部３３が第２プレート１９の筒状部材４５へ挿入されることにより、第２プレート１９へ取付けられる。より具体的には、挿入部３３の球体３７が、筒状部材４５の円弧溝４７に嵌合するまで、姿勢規制部材３９により所定の姿勢を維持したまま延長ダクト２１が第２プレート１９に押し込まれる。
【００１７】
ここで、延長ダクト２１の第２プレート１９へ取り付け状態について説明する。上述したように、延長ダクト２１は、球体３７を筒状部材４５の円弧溝４７に嵌合させることにより第２プレート１９へ取付けられている。したがって、回転量規制部材４１により回転量が規制されてはいるものの、延長ダクト２１は第２プレート１９に対して、球体３７を中心として回転自在であり、なおかつ、シャフト３５の軸回りにも回転可能である。また、延長ダクト２１の第２プレート１９への取り付けに関わる筒状部材４５や姿勢規制部材３９は、延長ダクト２１が第２プレート１９へ取り付けられた際、延長ダクト２１が、第１プレート１７と第２プレート１９との接続時に脱臭ダクト１５へ接続される位置および姿勢となるよう予め設計されており、したがって、第２プレート１９へ取り付けられた延長ダクト２１は、第１プレート１７と第２プレート１９との接続に伴い、脱臭ダクト１５へ接続される状態となっている。
【００１８】
次に、第１プレート１７と第２プレート１９との接続に伴う、延長ダクト２１と脱臭ダクト１５の接続について説明する。ここでは、第２プレート１９を第１プレート１７へ接続させることにより両プレートを接続する場合について説明する。
【００１９】
図１０は脱臭ダクト１５が取り付けられた第１プレート１７と、延長ダクト２１が取付けられた第２プレート１９を接続する際の様子を表した全体斜視図であり、図１１は脱臭ダクト１５と延長ダクト２１との接続完了時における嵌合状態を表す縦断面図である。第１プレート１７へ第２プレート１９を接続する際、まず、第２プレート１９の凸部４３を、この凸部４３とスライド可能に係合する第１プレート１７裏面に設けられた凹部（図示省略）に係合させ、次に、第２プレート１９を第１プレート１７側へスライドさせることにより、第１プレート１７と第２プレートとの接続を行う。このスライド動作時においては、上記凹部と凸部４３の係合規制により、第２プレート１９が、その姿勢を維持した状態で、第１プレート１７に向かってスライドするため、第２プレート１９に取り付けられた延長ダクト２１も、その姿勢を維持した状態で、第１プレート側へ接近していくこととなる。
【００２０】
上述したように、延長ダクト２１は、第１プレート１７と第２プレート１９との接続時に脱臭ダクト１５に接続される位置および姿勢で、予め第２プレート１９へ取り付けられているため、上記スライド動作時、延長ダクト２１が脱臭ダクト１５へ接近し、延長ダクトの嵌合部２９が脱臭ダクト１５の先端へ嵌合することにより、脱臭ダクト１５と延長ダクト２１との接続が行われる。つまり、第１プレート１７と第２プレート１９との接続に伴い、延長ダクト２１と脱臭ダクト１５との接続も共に行われるため、困難な取り付け作業を要することなく、延長ダクト２１を脱臭ダクト１５に容易かつ迅速に接続させることが可能となる。
【００２１】
ただし、第１プレート１７と第２プレート１９の接続時に、凹部と凸部４３を係合させた際、この凹部や凸部４３等の公差に起因して、第２プレート１９に取り付けられた延長ダクト２１の姿勢が脱臭ダクト１５への嵌合に適した姿勢となっていない場合がある。図１２は、このような場合における、延長ダクト２１の脱臭ダクト１５への嵌合動作を簡略的に表した断面図（平面視）である。  
【００２２】
図１２に示されているように、延長ダクト２１の接近時、延長ダクト２１の姿勢が脱臭ダクト１５への嵌合に適した姿勢でない場合、延長ダクト２１端部の傾斜部３１が脱臭ダクト１５の先端に接触して延長ダクト２１が嵌合に適した姿勢となる方向へ力を受けるため、回転自在に第２プレート１９へ取り付けられた延長ダクト２１がその方向へ回転し、脱臭ダクト１５への嵌合に適した姿勢へと次第に修正されていくため、滞りなく延長ダクト２１を脱臭ダクト１５へ嵌合することができる。このように、延長ダクト２１の端面に傾斜部３１を設け、さらに、延長ダクト２１を回転自在に第２プレート１９に取り付けたことにより、延長ダクト２１と脱臭ダクト１５との接続を、より確実に容易かつ迅速に行うことが可能となる。
【００２３】
次に、本発明の第２実施形態について説明する。図１３は、本発明の第２実施形態における第１プレート１７と第２プレート１９とを接続する際の様子を示す斜視図である。第２実施形態に係る便器上面設備が、第１実施形態に係る便器上面設備と異なるのは、図１３に示すように、延長ダクト２１の排気口２５とは反対側の端部がフランジ形状をなしており、そのフランジ形状をなす端部の端面にパッキン５１が、両面テープや、接着剤のような粘着剤により取り付けられている点である。これにより、第１プレート１７と第２プレート１９とを接続する際、接近する延長ダクト２１端面に設けられたパッキン５１が図１４に示すように脱臭ダクト１５先端の端面に押圧され、延長ダクト２１と脱臭ダクト１５との間に隙間を作ることなく両ダクトの接続が行われるため、容易かつ迅速に延長ダクト２１と脱臭ダクト１５との接続が行えるだけでなく、ダクト内部から外部への空気漏れがない接続状態を実現することができる。
【００２４】
以上、本発明の便器上面設備について、その実施例に基づいて説明したが、本発明は上記実施例に記載した構成に限定されるものではなく、その趣旨を逸脱しない範囲において適宜その構成を変更することができるものである。例えば、上記延長ダクト２１は、第１プレート１７と第２プレート１９との接続時に脱臭ダクト１５へ接続される位置および姿勢であれば、第２プレート１９に予め一体形成されていても構わない。
【符号の説明】
【００２５】
１…機能部（共通）
３…共通機能部載置プレート
５…機能部（個別）
７…拡張用載置プレート
９…便器上面設備
１１…便器
１３…脱臭ファン
１５…脱臭ダクト
１７…第１プレート
１９…第２プレート
２０…便器洗浄装置載置部
２１…延長ダクト
２２…局部洗浄装置載置部
２３…熱交換器載置部
２４…制御装置載置部
２５…排気口
２７…通風部
２９…嵌合部
３１…傾斜部
３３…挿入部
３５…シャフト
３７…球体
３９…姿勢規制部材
４１…回転量規制部材
４３…凸部
４５…筒状部材
４７…円弧溝
４９…回転中心
５１…パッキン
【図１】
0005910981.tif 000002
【図２】
0005910981.tif 000003
【図３】
0005910981.tif 000004
【図４】
0005910981.tif 000005
【図５】
0005910981.tif 000006
【図６】
0005910981.tif 000007
【図７】
0005910981.tif 000008
【図８】
0005910981.tif 000009
【図９】
0005910981.tif 000010
【図１０】
0005910981.tif 000011
【図１１】
0005910981.tif 000012
【図１２】
0005910981.tif 000013
【図１３】
0005910981.tif 000014
【図１４】
0005910981.tif 000015